(57)【要約】【課題】交換や補充等の定期的なメンテナンスを行う必要がなく、安価なランニングコストによりホテル独特の臭いを良好に消臭すると共に殺菌も行うことができる、ホテル客室用消臭装置を得る。【解決手段】ホテル客室内のナイトテーブルやヘッドボックスやライティングテーブルの内部又はベッドの下部に電気的作用により消臭効果が得られる消臭器を設置する。また、該消臭器の駆動時間制御を行うためのコントローラーを併設し、センサーにて客の不在を検出した後、当該コントローラーの制御により一定時間後に消臭器の駆動を開始し、一定時間駆動後に消臭器の停止を行い、必要に応じて前記動作の反復を行う。【選択図】　　　　図１
0003098656.tif 000002
【実用新案登録請求の範囲】
【請求項１】
ホテル客室内のナイトテーブルやヘッドボックスやライティングテーブルの内部又はベッドの下部に電気的作用により消臭効果が得られる消臭器（２）を設置し、また、該消臭器（２）の駆動時間制御を行うためのコントローラー（３）を併設し、センサーにて客の不在を検出した後、当該コントローラー（３）の制御により一定時間後に消臭器（２）の駆動を開始し、一定時間駆動後に消臭器（２）の停止を行い、必要に応じて前記動作の反復を行うことができることを特徴とした、ホテル客室用消臭装置。
【請求項２】
消臭器（２）が二酸化チタンを用いた光触媒式消臭器であり、紫外線照射により活性酸素を発生することにより客室内空気の消臭と殺菌を行うことができることを特徴とした、請求項１に記載のホテル客室用消臭装置。
【請求項３】
消臭器（２）がマイナスイオンを発生することができるマイナスイオン式消臭器であり、マイナスイオンにより客室内空気の消臭と殺菌を行うことができることを特徴とした、請求項１に記載のホテル客室用消臭装置。
【考案の詳細な説明】
【０００１】
【考案の属する技術分野】
本考案は、室内に充満する空気の消臭及び殺菌を行うための消臭装置に関し、特にホテル客室用消臭装置に関するものである。なお、ここで言う処のホテルとは、シティーホテルを始めビジネスホテル，レジャーホテル，旅館，ユースホステルなど宿泊可能な施設を全て含むものである。
【０００２】
【従来の技術】
従来、ホテル客室内における空気の臭いにおいて、当該客室を不特定多数の客が利用するため各利用客が発する臭い例えば体臭・タバコ臭・化粧臭や、エアコンのフィルターに付着したカビ臭や、ホテル客室内の絨毯・壁・畳などに付着した臭いなど多数の臭いの発生源によるホテル独特の臭いがあり、不快に感じられることがあった。
【０００３】
このため、チェックアウト時における清掃作業では窓を開けて自然換気を行ったり、消臭剤や芳香剤を設置するなどの方法により臭いを除去するのが一般的であった。
【０００４】
【考案が解決しようとする課題】
しかしながら、上記消臭剤や芳香剤を設置する方法ではホテル客室内に充満したホテル独特の臭いを除去するのには十分な効果が得られず、該消臭剤や芳香剤の使用期限が間近であったり期限切れのものでは全く効果が得られないという問題点があった。また、該消臭剤や芳香剤の定期的な交換や補充等のメンテナンスを行うようにした場合には、継続的な経費負担が発生してしまうといった問題点もあった。
【０００５】
更に、エアコンのフィルターや、絨毯・壁・畳などの定期的なクリーニングを専門業者に委託した場合には、さらなる高額の経費負担が発生してしまうといった問題点もあった。
【０００６】
本考案は、上記問題点を解決するために成されたものであり、交換や補充等の定期的なメンテナンスを行う必要がなく、安価なランニングコストによりホテル独特の臭いを良好に消臭すると共に殺菌も行うことができる、ホテル客室用消臭装置を提供することを目的とする。
【０００７】
【課題を解決するための手段】
上記課題を解決するため、本考案のホテル客室用消臭装置においては、ホテル客室内のナイトテーブルやヘッドボックスやライティングテーブルの内部又はベッドの下部に電気的作用により消臭効果が得られる消臭器を設置する。また、該消臭器の駆動時間制御を行うためのコントローラーを併設し、センサーにて客の不在を検出した後、当該コントローラーの制御により一定時間後に消臭器の駆動を開始し、一定時間駆動後に消臭器の停止を行い、必要に応じて前記動作の反復を行う。
【０００８】
【考案の実施の形態】
本考案の実施の形態を図を用いて説明する。図１は本考案のホテル客室用消臭装置の第一実施例を示す外形及び内部構造図であり、（ａ）は正面図、（ｂ）は側面図である。
【０００９】
該図はナイトテーブル１の内部に光触媒式の消臭器２を設置した例であり、ナイトテーブル１の略中央内部に消臭器２を設置し、該消臭器２の上部に紫外線ランプ４を設置し、ナイトテーブル１の背面下部に配設したフィルター５を通してホテル客室内の空気を吸気し、前記消臭器２を経由してナイトテーブル１の前面上部に配設した排気口７より消臭及び殺菌済みの空気を排気ファン６により客室内に排気する構造としている。なお、ナイトテーブル１の上面にはナイトパネル８が配設されている。
【００１０】
光触媒式の消臭器２においては、光触媒として二酸化チタンを使用する。該二酸化チタンを塗布した消臭器２に紫外線ランプ４から放射される紫外線を照射すると、光触媒反応が起こり活性酸素を発生する。そして、該光触媒反応面に空気が触れると、空気中に含まれる臭いの原因物質である有機物や細菌などが酸化・分解されるため、客室内空気の消臭と殺菌を行うことができる。
【００１１】
なお、光触媒自体は自浄効果があるため効果は永続的に持続し、メンテナンスは不要である。また、使用頻度にもよるがフィルター５は年１回程度の清掃が必要であり、紫外線ランプ４は２〜３年に１回程度の交換が必要である。しかしながら、従来方法である消臭剤や芳香剤の定期的なメンテナンスと比べれば、労力及び費用の面で大幅な減少となるものである。
【００１２】
また、図２は本考案のホテル客室用消臭装置の第二実施例を示す外形及び内部構造図であり、（ａ）は正面図、（ｂ）は側面図である。
【００１３】
該図はヘッドボックス９の内部に光触媒式の消臭器２を設置した例であり、ヘッドボックス９の右側略中央内部に消臭器２を設置し、該消臭器２の左側に紫外線ランプ４を設置し、ヘッドボックス９の上面に配設したフィルター５を通してホテル客室内の空気を吸気し、前記消臭器２を経由してヘッドボックス９の側面中央部に配設した排気口７より消臭及び殺菌済みの空気を排気ファン６により客室内に排気する構造としている。なお、ヘッドボックス９の左側上部にはナイトパネル８が配設され、右側下部にはフットライト１０が配設されている。
【００１４】
該実施例においても、光触媒式の消臭器２においては、光触媒として二酸化チタンを使用する。従って、原理や効果及びメンテナンスについては第一実施例と同様である。
【００１５】
上記２つの実施例においては、消臭器２として二酸化チタンを用いた光触媒式の消臭器２について説明したが、電気的作用により消臭効果が得られる他の消臭器例えばマイナスイオンを発生することができるマイナスイオン式の消臭器を採用し、該マイナスイオンにより客室内空気の消臭と殺菌を行う構造のものであっても構わない。
【００１６】
次に、図３は本考案のホテル客室用消臭装置の駆動パターンを示すタイムチャート図であり、（ａ）は駆動パターン１、（ｂ）は駆動パターン２の例を示している。
【００１７】
客がカードキー又はキータグをホルダー（図示せず）より抜いたり、人感センサー等のセンサー（図示せず）により客の不在検出が行われた場合、コントローラー３により消臭器２を独自の駆動パターンにより駆動して客室内空気の消臭と殺菌を行うことができる。図３（ａ）は、客の不在検出を行った後、１０分後に消臭器２を６時間駆動し２時間停止する。その後、消臭器２を１時間駆動し１時間停止するパターンを示している。また、図３（ｂ）は、客の不在検出を行った後、１０分後に消臭器２を２時間駆動し１時間停止する。その後、消臭器２を１時間駆動し１時間停止し、該動作を反復するパターンを示している。このような間欠駆動を行うことにより、省エネを配慮した客室内空気の消臭と殺菌を適切に行うことができる。
【００１８】
なお、上記駆動パターンは各ホテルの客室状況に応じて任意に設定して構わなく、限定するものではない。このように、客の不在時において本考案のホテル客室用消臭装置を適切な間欠駆動を行うことにより、新たに発生した臭いは勿論のこと、絨毯・壁・畳などに染み付いた臭いの元も徐々に取り除くことができるものである。
【００１９】
【考案の効果】
以上述べたように、本考案のホテル客室用消臭装置をシティーホテルを始めビジネスホテル，レジャーホテル，旅館，ユースホステルなど全ての宿泊可能な施設において採用すれば、交換や補充等の定期的なメンテナンスを行う必要がなく、安価なランニングコストによりホテル独特の臭いを良好に消臭すると共に殺菌も行うことができるという効果を奏する。また、絨毯・壁・畳などに染み付いた臭いの元も徐々に取り除くことができるという更なる効果を奏することもできる。
【図面の簡単な説明】
【図１】本考案のホテル客室用消臭装置の第一実施例を示す外形及び内部構造図である。
【図２】本考案のホテル客室用消臭装置の第二実施例を示す外形及び内部構造図である。
【図３】本考案のホテル客室用消臭装置の駆動パターンを示すタイムチャート図である。
【符号の説明】
１　ナイトテーブル
２　消臭器
３　コントローラー
４　紫外線ランプ
５　フィルター
６　排気ファン
７　排気口
８　ナイトパネル
９　ヘッドボックス
１０　フットライト
【図１】
0003098656.tif 000003
【図２】
0003098656.tif 000004
【図３】
0003098656.tif 000005